(57)【特許請求の範囲】
【請求項１】
外周側面に、周方向に延びる係止溝を形成するとともにこの係止溝の蓋表面側の縁の一部に切り欠きを設けた地下管路用蓋において、前記係止溝は前記切り欠きを設けた部分から周方向に延び、先端に向かって下がり傾斜状の上面傾斜部を介して、突き当り部に達していることを特徴とする地下管路用蓋。
【請求項２】
前記係止溝が前記切り欠きを設けた部分から、両側の周方向へ延びていることを特徴とする請求項１の地下管路用蓋。
【発明の詳細な説明】
【０００１】
【発明の属する技術分野】
この発明は地下管路用蓋に関し、例えば、マンホール用蓋として使用されるものである。
【０００２】
【従来の技術】
従来におけるマンホール用蓋90は、図８および図９に示すように、その外周側面に係止穴91を穿ち、この係止穴91の蓋表面側の端縁に略Ｕ字状の切り欠き92を設けたものであり、作業者が、マンホール用蓋90をマンホール用枠体20から取り外す際には、棒状工具Ｗを前記切り欠き92から挿入し、その先端部を係止穴91の天井面に係止した状態で、当該棒状工具Ｗをマンホール用枠体20を支点としてこじ上げ、その後、マンホール用蓋90とマンホール用枠体20との隙間に工具を挿入しながら前記マンホール用蓋90をリフトアップしていた。
【０００３】
【発明が解決しようとする課題】
しかしながら、前記マンホール用蓋90とマンホール用枠体20との隙間は僅かであったため、工具を挿入しにくく、この結果、マンホール用蓋の取り外しに手間がかかるというのが現状であった。
【０００４】
この発明の課題は前記不都合を解消することである。
【０００５】
【課題を解決するための手段】
この課題を達成するために、この発明に係る地下管路用蓋においては、外周側面に、周方向に延びる係止溝を形成するとともにこの係止溝の蓋表面側の縁の一部に切り欠きを設けた地下管路用蓋において、前記係止溝は前記切り欠きを設けた部分から周方向に延び、先端に向かって下がり傾斜状の上面傾斜部を介して、突き当たり部に達しているため、
作業者は、前記切り欠きから棒状工具を挿入し、この棒状工具の先端が係止溝の突き当たり部に達した状態で、枠体を支点として地下管路用蓋をこじ上げ（切り欠きの蓋表面側の縁の厚さおよび棒状工具の高さ方向の厚さだけ）れば、地下管路用蓋の外側面における前記棒状工具の側方向に係止溝が露出し、この係止溝に指を挿入して持ち上げることができる。
なお、前記係止溝を前記切り欠きを設けた部分から、両側の周方向へ延びるようにすれば、前記棒状工具を反対方向からも挿入することができるため、地下管路用蓋の外し作業がしやすいものである。
【０００６】
【発明の実施の形態】
この発明に係る地下管路用蓋の実施態様として「マンホール用蓋」を採用し、以下説明する。図１はこの発明に係るマンホール用蓋（地下管路用蓋）の断面図、図２は図１におけるII矢視図、図３は図１におけるIII 矢視図、図４〜図６はリフトアップの行程の説明図、図７は図３に相当する他の実施例の図である。
【０００７】
図１〜図３において、Ｍはマンホール，10はその筒状のフレーム，20はこのフレーム10に外嵌めされた枠体、21はパッキングである。また、30はこの枠体20に着脱可能に嵌挿されたマンホール用蓋である。このマンホール用蓋30は円盤状に形成されている。
【０００８】
次に、50は係止溝であり、マンホール用蓋30の外周側面に周方向に延びている。また、60は切り欠きであり、前記係止溝50の蓋表面側の縁の一部に設けられている。この実施例では、前記切り欠き60の形状は、図２に示されるように片側長辺部がマンホール用蓋30の周縁に解放された長方形状であるが、後記棒状工具Ｗが嵌挿且つ旋回可能であれば如何なる形状でもよい。
【０００９】
図３において、51は係止溝50の上面傾斜部であり、前記係止溝50の蓋表面側の内壁面に形成されている。この上面傾斜部51は前記切り欠き60から反切り欠き方向に下がり傾斜状であり、カム面としての機能および工具を入れ易くする機能を有する。なお、この上面傾斜部51は直線状以外に湾曲突出状にすることもできる。52は係止溝50の突き当たり部であり、前記係止溝50の蓋表面側の内壁面において前記上面傾斜部51の先端に連設されている（図３を参照のこと）。この突き当たり部52の上面は水平であり、その機能は後記する。
【００１０】
次に、図２に示すように、係止溝50の深さ（マンホール用蓋の外周面からマンホール用蓋の中心方向に向けた奥行き）にあっては、切り欠き60の存在する部分が最も深く、前記上面傾斜部51に相当する位置においては、反切り欠き方向に向かって漸次浅くなる底傾斜部71が形成され、更に、その先端には最も底浅の底水平部72が形成されている。このため、後記棒状工具Ｗを前記切り欠き60に嵌挿させ、前記上面傾斜部51方向へ侵入させる際に前記棒状工具Ｗの先端面をこの底傾斜部71に沿って滑らせることができるため侵入させやすいものである。
【００１１】
次に、図４〜６に基づいてこのマンホール用蓋30をリフトアップし、取り外す場合を説明する。
【００１２】
まず、図４に示すように、マンホール用蓋30の切り欠き60から棒状工具（ドライバー）Ｗを挿入し、その先端部を前記係止溝50の蓋表面側の縁の下方に侵入させる。この状態で、マンホール用枠体20を支点としてマンホール用蓋30を、切り欠きの蓋表面側の縁の厚さだけこじ上げる（図４はこのこじ上げた状態を示している）。なお、この状態で、作業者は、露出した係止溝50の一部に指を挿入してマンホール用蓋30を持ち上げ取り外すこともできる。しかしながら、通常は、その後、図５に示すように、前記棒状工具Ｗを時計方向に旋回してその先端部を前記係止溝50の前記上面傾斜部51の方向へ侵入させれば、カムの作用によってマンホール用蓋30はこじ上げられる。そして、図６に示すように、この棒状工具Ｗの先端部が前記突き当たり部52に達したときに最高の高さに持ち上げられる。この状態で作業者は前記係止溝50に指を挿入し、マンホール用蓋30をリフトアップし、取り外すことができる。なお、切り欠き60を小さくすれば、ハイヒールの踵が落ち込むとか子供の悪戯を防止する効果がある。
【００１３】
なお、図７に示すように、前記係止溝50を切り欠き60の両側に形成すれば、棒状工具Ｗを何れの方向からも挿入でき作業がしやすいものである。
【００１４】
【発明の効果】
この発明に係る地下管路用蓋は、外周側面に、周方向に延びる係止溝を形成するとともにこの係止溝の蓋表面側の縁の一部に切り欠きを設けた地下管路用蓋において、前記係止溝は前記切り欠きを設けた部分から周方向に延び、先端に向かって下がり傾斜状の上面傾斜部を介して、突き当たり部に達しているため、
作業者は、前記切り欠きから棒状工具を挿入し、この棒状工具の先端が係止溝の突き当たり部に達した状態で、枠体を支点として地下管路用蓋をこじ上げ（切り欠きの蓋表面側の縁の厚さおよび棒状工具の高さ方向の厚さだけ）れば、地下管路用蓋の外側面における前記棒状工具の側方向に係止溝が露出し、この係止溝に指を挿入して持ち上げることができる。
【００１５】
よって、この地下管路用蓋を使用すれば、地下管路用蓋の取り外しが簡易になり、その作業能率を向上させることができる。
なお、前記係止溝を前記切り欠きを設けた部分から、両側の周方向へ延びるようにすれば、前記棒状工具を反対方向からも挿入することができるため、地下管路用蓋の外し作業がしやすいものである。
【図面の簡単な説明】
【図１】        この発明に係る地下管路用蓋（マンホール用蓋）の断面図である。
【図２】        図１におけるII矢視図である。
【図３】        図１におけるIII 矢視図である。
【図４】        リフトアップの行程の説明図である。
【図５】        リフトアップの行程の説明図である。
【図６】        リフトアップの行程の説明図である。
【図７】        図３に相当する他の実施例の図である。
【図８】        図１に相当する従来例の図である。
【図９】        図２に相当する従来例の図である。
【符号の説明】
30  …  マンホール用蓋（地下管路用蓋）
50  …  係止溝
60  …  切り欠き
51  …  上面傾斜部
52  …  突き当たり部
【図１】
0004273443.tif 000002
【図２】
0004273443.tif 000003
【図３】
0004273443.tif 000004
【図４】
0004273443.tif 000005
【図５】
0004273443.tif 000006
【図６】
0004273443.tif 000007
【図７】
0004273443.tif 000008
【図８】
0004273443.tif 000009
【図９】
0004273443.tif 000010